(57)【特許請求の範囲】
【請求項１】
コイルの異常発熱等によるモータ、あるいはモータの周辺装置の発火を防止する温度ヒューズを備えたモータにおいて、
内部に２個のコンタクトピンと温度ヒューズを収納し、このコンタクトピンに温度ヒューズを接続したヒューズユニットを備え、
固定子コアとコイルとの間に設けられ、樹脂成形された絶縁体に、２個の接続端子のそれぞれの一部を固定子近傍に埋設し、これら接続端子の両端部４ヶ所を絶縁体から突出させ、
コイル側の２ヶ所の端部に、任意のコイルの末端を接続し、
もう一方２ヶ所の端部に、前記コンタクトピンが着脱可能に前記ヒューズユニットを取り付ける構成としたことを特徴とする温度ヒューズ付きモータ。
【発明の詳細な説明】
【０００１】
【発明の属する技術分野】
コイルの異常発熱等によるモータ、あるいはモータの周辺装置の発火を防止する過昇温度保護装置を備えたモータに関する。
【０００２】
【従来の技術】
従来における過昇温度保護装置を備えたモータを誘導電動機を例に説明する。
【０００３】
従来のモータでは、モータが過負荷になり、コイルの温度が上昇して、モータからの発煙あるいは発火を防止するために、モータの内部に過昇温度保護装置、例えば、温度リレー、温度ヒューズ等が設けられている。
【０００４】
温度リレーは、コイルの温度が所定の温度以上に上昇すると、温度リレーの接点が切れ、コイルへの電源の供給を遮断する。そして、コイルの温度が所定の温度以下に下降すると、温度リレーの接点が接続される。
【０００５】
温度ヒューズは、コイルの温度が所定の温度以上に上昇すると溶断する。すなわち、この温度ヒューズが、一担溶断すると、使用不可能となる。
【０００６】
【発明が解決しようとする課題】
温度リレーをモータの固定子に取り付けた場合、過負荷などによって、温度リレーがＯＮ／ＯＦＦを繰り返すと、コイルの温度が上昇下降を繰り返すことになる。この繰り返しにより、絶縁体が劣化することになる。
【０００７】
また、温度ヒューズをモータの固定子に取り付けた場合、温度ヒューズは、コイル上に麻糸等で固定され、ワニス処理が施される。すなわち、温度が、所定の温度以上に上昇し溶断すると、温度ヒューズの交換が困難となる。最悪、モータ本体の交換が必要となる。
【０００８】
【課題を解決するための手段】
そこで、本発明によれば、内部に２個のコンタクトピンと温度ヒューズを収納し、このコンタクトピンに温度ヒューズを接続したヒューズユニットを備え、固定子コアとコイルとの間に設けられ、樹脂成形された絶縁体に、２個の接続端子のそれぞれの一部を固定子近傍に埋設し、これら接続端子の両端部４ヶ所を絶縁体から突出させ、コイル側の２ヶ所の端部に、任意のコイルの末端を接続し、もう一方２ヶ所の端部に、前記コンタクトピンが着脱可能に前記ヒューズユニットを取り付ける構成としたことを特徴とする温度ヒューズ付きモータを提供する。
【０００９】
【作用】
固定子近辺に着脱可能なヒューズユニットを取り付けることにより、モータに取り付ける過昇温度保護装置の種類を任意に選択でき、かつ、破損した際も、簡単に取り替えることができる。
【００１０】
【発明の実施の形態】
本発明における実施例を図１〜図４を用いて説明する。図１は、本発明における誘導電動機の側断面図である。図２は、図１のヒューズユニット取り付け部の拡大側断面図である。図３は、図１のヒューズユニット取り付け部の拡大正面図である。図４は、図１の誘導電動機の電気的な接続関係を説明した電気接続図である。
【００１１】
図１において、固定子コア１は、筒状に形成されたバックヨーク２と、このバックヨーク２の内周面より軸中心に向かって放射状に延出した複数個のティース３とで構成されている。
【００１２】
固定子４は、固定子コア１と、この固定子コア１のティース３に巻回された巻線５とで構成されている。また、この巻線５と固定子コア１の間には、電気的絶縁を行うための絶縁体６が樹脂成形して設けられている。そして、巻線５の端末５ａとリード線７とが半田付けにより接続されている。
【００１３】
誘導電動機８は、固定子４と、この固定子４の内周部に収納された回転子９と、この回転子９の両端部に取り付けられ、回転子９を支持し、回転子９を回転自在にした２個のすべり軸受１０ａ、１０ｂと、固定子４をサンドイッチ状に挟み込み、この固定子４とすべり軸受１０ａ、１０ｂとを収納して固定し、誘導電動機８内部の保護を行う２個のベアリングブラケット１１ａ、１１ｂとで構成されている。
【００１４】
回転子９は、棒状のシャフト１２と、このシャフト１２の外周面に取り付けられた回転子コア１３とで構成されている。また、シャフト１２のスラスト方向への移動を制限するための段付き１２ａが設けられ、そして、回転子９の摩擦抵抗を低減するための各種ワッシャが、シャフト１２の段付き１２ａと一方のすべり軸受１２ａとの間、およびシャフト１２の端面とベアリングブラケット１１ｂとの間に設けられている。
【００１５】
２個のベアリングブラケット１１ａ、１１ｂは、鋼板を椀状にして形成されており、一方のベアリングブラケット１１ａの外周面の端面と固定子コア１の外周面との間に隙間を設けて、この隙間からリード線７を誘導電動機８外へ延出させている。
【００１６】
また、固定子コア１の一方の端面上に設けられている絶縁体６の任意の箇所には、２個の接続端子１４ａ、１４ｂが埋設されている。また、それぞれの接続端子１４ａ、１４ｂの両端部は、絶縁体６から突出して設けられている。そして、この接続端子１４ａ、１４ｂの近辺には、ヒューズユニット１５が取り付けられている。
【００１７】
図２および図３において、ヒューズユニット１５は、ヒューズケース１６と、このヒューズケース１６内に収納された過昇温度保護装置、例えば温度ヒューズ１７と２個のコンタクトピン１８ａ、１８ｂとで構成されている。この２個のコンタクトピン１８ａ、１８ｂは、温度ヒューズ１７の両端から延出しているピンとそれぞれ接続されている。
【００１８】
そして、ヒューズユニット１５は、接続端子１４ａ、１４ｂ近辺に取り付けられており、また着脱可能となっている。そして、ヒューズユニット１５を固定子４に取り付けることにより、ヒューズユニット１５内のコンタクトピン１８ａ、１８ｂと、絶縁体６より突出している接続端子１４ａ、１４ｂの一方の端部とが接合される。また、温度ヒューズ１７は、固定子コア１、あるいは巻線の温度値を検出させるため、これらにできる限り近接させて設ける。
【００１９】
図４において、上述したように温度ヒューズ１７に接続されているそれぞれのコンタクトピン１８ａ、１８ｂは、接続端子１４ａ、１４ｂに取り付けられている。すなわち、一方のコンタクトピン１８ａは、接続端子１４ａを介して主コイル１９と補助コイル２０との接続部に接続されており、もう一方のコンタクトピン１８ｂは、接続端子１４ｂ、リード線を介して電源に接続されている。
【００２０】
以上のような構成にすることにより、過昇温度保護装置の種類の変更を行いたい場合、あるいは過昇温度保護装置が破損した場合、簡単に取り替えることができる。
【００２１】
【発明の効果】
本発明によれば、コネクタに収納する過昇温度保護装置の種類を任意に変更、選択することができる。
【００２２】
【図面の簡単な説明】
【図１】本発明における誘導電動機の側断面図である。
【図２】図１の過昇温度保護装置取り付け部の拡大側断面図。
【図３】図１の過昇温度保護装置取り付け部の拡大正面図。
【図４】図１の誘導電動機の電気的な接続関係を説明した電気接続図。
【符号の説明】
１…固定子コア
２…バックヨーク
３…ティース
４…固定子
５…巻線
６…絶縁体
７…リード線
８…誘導電動機
９…回転子
１０ａ、１０ｂ…すべり軸受
１１ａ、１１ｂ…ベアリングブラケット
１２…シャフト
１３…回転子コア
１４ａ、１４ｂ…接続端子
１５…ヒューズユニット
１６…ヒューズケース
１７…温度ヒューズ
１８ａ、１８ｂ…コンタクトピン
１９…主コイル
２０…補助コイル
【図１】
0004152503.tif 000002
【図２】
0004152503.tif 000003
【図３】
0004152503.tif 000004
【図４】
0004152503.tif 000005